(57)【要約】【課題】押出機の軌条劣化による駆動電流値増大分を除去して、真に炉壁レンガの損耗を検出することが可能なコークス炉炭化室炉壁補修判定方法を提供する。【解決手段】コークスを押出さずに押出機の押出ロッドを駆動したときの空駆動電流値を予め窯毎に検出し、コークス押出時の押出ロッドの駆動電流値から予め検出された窯毎の空駆動電流値を減じた炉壁補修判定用駆動電流値が予め設定された所定電流値以上であるか、又はコークス押出時の押出ロッドの駆動電流値が空駆動電流値を見込んだ窯毎の所定電流値以上であるときに、当該炭化室の窯の炉壁を補修すべきであると判定する。【選択図】図３
2010222415.tif 000002
【特許請求の範囲】
【請求項１】
コークス炉の炭化室炉壁の補修を押出機によるコークス押出機の押出ロッドの駆動電流値で判定するコークス炉炭化室炉壁補修判定方法であって、コークスを押出さずに押出機の押出ロッドを駆動したときの空駆動電流値を予め窯毎に検出し、コークス押出時の押出ロッドの駆動電流値から予め検出された窯毎の空駆動電流値を減じた炉壁補修判定用駆動電流値が予め設定された所定電流値以上であるか、又はコークス押出時の押出ロッドの駆動電流値が空駆動電流値を見込んだ窯毎の所定電流値以上であるときに、当該炭化室の窯の炉壁を補修すべきであると判定することを特徴とするコークス炉炭化室炉壁補修判定方法。
【発明の詳細な説明】
【技術分野】
【０００１】
本発明は、コークス炉の炭化室の炉壁の補修時期を判定するコークス炉炭化室炉壁補修判定方法に関するものである。
【背景技術】
【０００２】
コークス炉では、押出機の押出ロッドによるコークスの押出作業を日々行うが、炭化室の炉壁レンガは、長年の使用による損耗が生じ、補修或いはレンガの部分的な積替え補修を行う必要が生じる。特に、窯口に近い炉壁レンガは、炉蓋取外しの度に大気に晒されるため、中央部に比して損耗の程度が大きい。そこで、下記特許文献１、或いは特許文献２に記載されるコークス炉炭化室炉壁補修判定方法では、押出機によるコークス押出時の駆動電流値を検出し、この駆動電流値が所定値以上になったときに、炭化室の炉壁レンガの損耗が進行して補修が必要であると判定するようにしている。
【先行技術文献】
【特許文献】
【０００３】
【特許文献１】特開昭６３−６８６９０号公報
【特許文献２】特開２００５−１６２９８５号公報
【発明の概要】
【発明が解決しようとする課題】
【０００４】
ところで、コークス炉の経年劣化に伴い、移動機械、特に押出機の軌条劣化が進行している。押出機の軌条は、レール自体の摩耗状況、亀裂の有無、レールを支える基礎の状態などを点検し、軌条レベルを測定して、定期的な補修を実施している。
しかしながら、軌条の劣化により、軌条間のレベル差、つまり傾きが発生し、それによって押出機に微小な傾きが発生する。押出機の傾きは押出ロッドの傾きとなり、例えば押出ロッドが押出方向に下がるように傾く（以下、押出方向への傾きと定義する）と、コークス炉内の底部レンガ、所謂ゾールレンガへの抵抗が増え、コークス押出時の駆動電流値が増大する。従って、単に押出機によるコークス押出時の駆動電流値が所定値以上になったときに、炭化室の炉壁レンガの損耗が進行して補修が必要であると判定するだけでは、押出機の軌条劣化によるものなのか、真に炉壁レンガの損耗によるものなのかを正しく判定することができない。
本発明は、上記のような問題点に着目してなされたものであり、押出機の軌条劣化による駆動電流値増大分を除去して、真に炉壁レンガの損耗を検出することが可能なコークス炉炭化室炉壁補修判定方法を提供することを目的とするものである。
【課題を解決するための手段】
【０００５】
上記課題を解決するために、本発明のコークス炉炭化室炉壁補修判定方法は、コークス炉の炭化室炉壁の補修を押出機によるコークス押出機の押出ロッドの駆動電流値で判定するコークス炉炭化室炉壁補修判定方法であって、コークスを押出さずに押出機の押出ロッドを駆動したときの空駆動電流値を予め窯毎に検出し、コークス押出時の押出ロッドの駆動電流値から予め検出された窯毎の空駆動電流値を減じた炉壁補修判定用駆動電流値が予め設定された所定電流値以上であるか、又はコークス押出時の押出ロッドの駆動電流値が空駆動電流値を見込んだ窯毎の所定電流値以上であるときに、当該炭化室の窯の炉壁を補修すべきであると判定することを特徴とするものである。
【発明の効果】
【０００６】
而して、本発明のコークス炉炭化室炉壁補修判定方法によれば、コークスを押出さずに押出機の押出ロッドを駆動したときの空駆動電流値を予め窯毎に検出し、コークス押出時の押出ロッドの駆動電流値から予め検出された窯毎の空駆動電流値を減じた炉壁補修判定用駆動電流値が予め設定された所定電流値以上であるか、又はコークス押出時の押出ロッドの駆動電流値が空駆動電流値を見込んだ窯毎の所定電流値以上であるときに、当該炭化室の窯の炉壁を補修すべきであると判定することとしたため、押出機の軌条劣化による駆動電流値増大分を除去することができ、その結果、真に炉壁レンガの損耗を検出することが可能となる。
【図面の簡単な説明】
【０００７】
【図１】本発明のコークス炉炭化室炉壁補修判定方法が展開されたコークス炉の一実施形態を示す正面図である。
【図２】押出ロッドの駆動電流値と軌条の傾きとの関係を示す説明図である。
【図３】窯毎の押出ロッドの駆動電流値及び軌条の傾きの説明図である。
【発明を実施するための形態】
【０００８】
次に、本発明のコークス炉炭化室炉壁補修判定方法の一実施形態について図面を参照しながら説明する。
図１は、本実施形態のコークス炉炭化室炉壁補修判定方法を展開したコークス炉の正面図である。コークス炉の炉体下部には蓄熱室１が配設され、その上方に、炭化室２と燃焼室とが交互に配設されている。炭化室２は、図の左右方向に長手であり、紙面方向には細い、細長形状であり、この細長い炭化室２と同じく細長い燃焼室（内部はフリュー毎に仕切られている）を交互に紙面方向に多数配設して構成される。なお、炭化室２の長手方向両端部には炉蓋３が取付けられており、コークスの押出時には、この炉蓋３を外して行う。
【０００９】
炭化室２の上方には、図示しない装入口から原料石炭を装入する装入車４が配設されている。この装入車４は、炉頂部に設けられた軌条５に沿って炭化室２の配列方向、つまり図１の紙面方向に移動する。
炭化室２の図示右方には、コークガイド車６が配設され、そのコークガイド車６の更に図示右方に消火車８が配設されている。コークガイド車６は軌道７に沿って炭化室２の配列方向、つまり図１の紙面方向に移動し、消火車８は軌道９に沿って炭化室２の配列方向、つまり図１の紙面方向に移動する。消火車８は、炭化室２内で乾留されたコークスを搭載して搬送するものであり、コークガイド車６は、炭化室２から排出されるコークスを消火車８に導くものである。
【００１０】
炭化室２の図示左方には、押出機１０が配設されている。この押出機１０は軌道１１に沿って炭化室２の配列方向、つまり図１の紙面方向に移動する。押出機１０は、炭化室２内のコークスを押出すための押出ロッド１２を備えている。この押出ロッド１２には、例えばラックが形成されており、このラックに噛合するピニオンを駆動モータで駆動して炭化室２の長手方向に移動する。また、押出ロッド１２の下方には、スライドシューと呼ばれるガイドが取付けられており、このスライドシューを炭化室２の炉床に当接させることにより、押出ロッド１２を支持する。
【００１１】
例えば、押出機１０の軌道１１のうち、炭化室２側が反対側より低い場合、押出ロッド１２は押出方向先方側が下がる。前述したように、このように押出方向先方側が下がる傾向を押出方向に傾くと定義するが、軌道１１の傾き（押出方向への傾き）によって押出ロッド１２が押出方向に傾くと、例えば押出ロッド１２のスライドシューが炭化室２の炉床に強く押付けられることになり、駆動モータの負荷が大きくなって電流値が増大することが考えられる。
【００１２】
図２には、窯を規定しないときの押出機１０の駆動電流値（図では押出電流値）と傾きの関係を示す。傾きは、押出方向の傾きを前傾、逆方向の傾きを後傾とし、前者を正値、後者を負値として、下記１式で表される傾き指数θで表した。傾き指数と駆動電流値の間には、傾きが押出方向に強いほど、駆動電流値が大きくなる傾向が見られるが、これだけでは、両者の関係は明らかでない。
ｔａｎθ＝（（炉側軌条上面高さ−反対側軌条上面高さ）／軌条間距離）  ……… (1)
【００１３】
そこで、図３に示すように、窯毎に、空駆動電流値と傾き指数を整理すると、傾き指数が大きい窯は空駆動電流値も大きい。これは、押出機１０の軌条１１の傾きが、窯位置毎に異なるためであり、窯毎の空駆動電流値を予め検出し、当該窯における押出時の駆動電流値から空駆動電流値を減じた炉壁補修判定用駆動電流値が所定電流値以上になったら、その窯位置における炭化室の炉壁を補修すべきであると判定する。内容的には同じであるが、空駆動電流値を見込んだ、つまり前記所定電流値に空駆動電流値を加算した電流値を補修閾値電流値とし、コークス押出時の駆動電流値が補修閾値電流値（所定電流値）以上になったら、その窯位置における炭化室の炉壁を補修すべきであると判定するようにしてもよい。
【００１４】
このように本実施形態のコークス炉炭化室炉壁補修判定方法では、コークスを押出さずに押出機の押出ロッドを駆動したときの空駆動電流値を予め窯毎に検出し、コークス押出時の押出ロッドの駆動電流値から予め検出された窯毎の空駆動電流値を減じた炉壁補修判定用駆動電流値が予め設定された所定電流値以上であるか、又はコークス押出時の押出ロッドの駆動電流値が空駆動電流値を見込んだ窯毎の所定電流値以上であるときに、当該炭化室の窯の炉壁を補修すべきであると判定することとしたため、押出機の軌条劣化による駆動電流値増大分を除去することができ、その結果、真に炉壁レンガの損耗を検出することが可能となる。
【符号の説明】
【００１５】
１は蓄熱室、２は炭化室、３は炉蓋、４は装入車、５は軌条、６はコークガイド車、７は軌条、８は消火車、９は軌条、１０は押出機、１１は軌条、１２は押出ロッド
【図１】
2010222415.tif 000003
【図２】
2010222415.tif 000004
【図３】
2010222415.tif 000005